【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
半導体レーザ光源から出射されたレーザ光を、対物レンズを用いて光情報媒体上に集光する集光光学系を有する光ヘッド装置であって、
前記半導体レーザ光源と前記光情報媒体との間に、前記対物レンズで発生する色収差を補正する色収差補正素子が設けられており、かつ、前記対物レンズの開口面に入射する光の強度が前記開口面の中心からの距離と共に低下することを補正するために、前記対物レンズの前記開口面の中心付近の透過率よりも外周部の透過率が高い光分布補正素子が設けられていることを特徴とする光ヘッド装置。
【請求項２】
前記光分布補正素子が反射防止膜である請求項１に記載の光ヘッド装置。
【請求項３】
前記光分布補正素子が位相段差を有する同心円状の回折格子である請求項１に記載の光ヘッド装置。
【請求項４】
前記色収差補正素子と前記光分布補正素子とが１枚のレンズの両面にそれぞれ形成された請求項３に記載の光ヘッド装置。
【請求項５】
半導体レーザ光源から出射されたレーザ光を、対物レンズを用いて光情報媒体上に集光する集光光学系を有する光ヘッド装置であって、
前記半導体レーザ光源と前記光情報媒体との間に、前記対物レンズの開口面に入射する光の強度が前記開口面の中心からの距離と共に低下することを補正するために、前記対物レンズの前記開口面の中心付近の透過率を一定量低下させる光分布補正素子が設けられていることを特徴とする光ヘッド装置。
【請求項６】
前記光分布補正素子の、透過率の低下する部分が金属蒸着膜によって形成されている請求項５に記載の光ヘッド装置。
【請求項７】
前記光分布補正素子の、透過率の低下する部分の当該透過率が６５％〜８５％の範囲にある請求項５又は６に記載の光ヘッド装置。
【請求項８】
前記半導体レーザ光源と前記光情報媒体との間に前記対物レンズで発生する色収差を補正する色収差補正素子がさらに設けられており、かつ、前記光分布補正素子の、透過率の低下する部分の当該透過率が６０％〜７５％の範囲にある請求項５又は６に記載の光ヘッド装置。
【請求項９】
半導体レーザ光源から出射されたレーザ光を、対物レンズを用いて光情報媒体上に集光する集光光学系を有する光ヘッド装置であって、
前記半導体レーザ光源と前記光情報媒体との間に前記対物レンズで発生する色収差を補正するレリーフ型のブレーズ格子からなる色収差補正素子が設けられており、かつ、前記対物レンズの開口面に入射する光の強度が前記開口面の中心からの距離と共に低下することを補正するために、前記色収差補正素子の、前記対物レンズの前記開口面の中心付近に対応する部分の前記ブレーズ格子の高さが、回折効率が最大となる高さとは異なる高さに設定されていることを特徴とする光ヘッド装置。
【請求項１０】
前記色収差補正素子と前記対物レンズとが一体的に固定されている請求項９に記載の光ヘッド装置。
【請求項１１】
前記色収差補正素子が前記対物レンズの表面に一体形成されている請求項１０に記載の光ヘッド装置。
【請求項１２】
光分布補正を行わない場合と比較して、前記半導体レーザ光源から前記集光光学系へと至る開口数が大きく設定されている請求項１〜１１のいずれかに記載の光ヘッド装置。
【請求項１３】
請求項１〜１２のいずれかに記載の光ヘッド装置と、
前記光情報媒体を駆動する光情報媒体駆動部と、
前記光ヘッド装置から得られる信号を受け、前記信号に基づいて、前記光情報媒体駆動部、並びに前記光ヘッド装置内の前記半導体レーザ光源及び対物レンズを制御する制御部とを備えた光情報装置。
【請求項１４】
請求項１３に記載の光情報装置と、
情報の入力を行う入力装置と、
前記入力装置から入力された情報や前記光情報装置によって読み出された情報に基づいて演算を行う演算装置と、
前記入力装置から入力された情報や前記光情報装置によって読み出された情報や前記演算装置によって演算された結果を表示あるいは出力する出力装置とを備えたコンピュータ。
【請求項１５】
請求項１３に記載の光情報装置と、
前記光情報装置から得られる情報信号を画像に変換する、情報から画像への変換装置とを備えた光ディスクプレーヤ。
【請求項１６】
請求項１５に記載の光ディスクプレーヤを備えたカーナビゲーションシステム。
【請求項１７】
請求項１３に記載の光情報装置と、
画像情報を、前記光情報装置によって前記光情報媒体へ記録する情報に変換する、画像から情報への変換装置とを備えた光ディスクレコーダ。
【請求項１８】
請求項１３に記載の光情報装置と、
外部との情報のやりとりを行う入出力端子とを備えた光ディスクサーバ。
【手続補正２】
【補正対象書類名】明細書
【補正対象項目名】００２６
【補正方法】変更
【補正の内容】
【００２６】
【課題を解決するための手段】
前記目的を達成するため、本発明に係る光ヘッド装置の第１の構成は、半導体レーザ光源から出射されたレーザ光を、対物レンズを用いて光情報媒体上に集光する集光光学系を有する光ヘッド装置であって、前記半導体レーザ光源と前記光情報媒体との間に、前記対物レンズで発生する色収差を補正する色収差補正素子が設けられており、かつ、前記対物レンズの開口面に入射する光の強度が前記開口面の中心からの距離と共に低下することを補正するために、前記対物レンズの前記開口面の中心付近の透過率よりも外周部の透過率が高い光分布補正素子が設けられていることを特徴とする。
前記本発明の光ヘッド装置の第１の構成においては、前記光分布補正素子が反射防止膜であるのが好ましい。
【手続補正３】
【補正対象書類名】明細書
【補正対象項目名】００２８
【補正方法】変更
【補正の内容】
【００２８】
また、本発明に係る光ヘッド装置の第２の構成は、半導体レーザ光源から出射されたレーザ光を、対物レンズを用いて光情報媒体上に集光する集光光学系を有する光ヘッド装置であって、前記半導体レーザ光源と前記光情報媒体との間に、前記対物レンズの開口面に入射する光の強度が前記開口面の中心からの距離と共に低下することを補正するために、前記対物レンズの前記開口面の中心付近の透過率を一定量低下させる光分布補正素子が設けられていることを特徴とする。
【手続補正４】
【補正対象書類名】明細書
【補正対象項目名】００３０
【補正方法】削除
【補正の内容】
【手続補正５】
【補正対象書類名】明細書
【補正対象項目名】００３１
【補正方法】削除
【補正の内容】
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】００４０
【補正方法】変更
【補正の内容】
【００４０】
また、本発明に係る光ヘッド装置の第３の構成は、半導体レーザ光源から出射されたレーザ光を、対物レンズを用いて光情報媒体上に集光する集光光学系を有する光ヘッド装置であって、前記半導体レーザ光源と前記光情報媒体との間に前記対物レンズで発生する色収差を補正するレリーフ型のブレーズ格子からなる色収差補正素子が設けられており、かつ、前記対物レンズの開口面に入射する光の強度が前記開口面の中心からの距離と共に低下することを補正するために、前記色収差補正素子の、前記対物レンズの前記開口面の中心付近に対応する部分の前記ブレーズ格子の高さが、回折効率が最大となる高さとは異なる高さに設定されていることを特徴とする。
【手続補正１３】
【補正対象書類名】明細書
【補正対象項目名】００４１
【補正方法】変更
【補正の内容】
【００４１】
前記本発明の光ヘッド装置の第３の構成においては、前記色収差補正素子と前記対物レンズとが一体的に固定されているのが好ましい。また、この場合には、前記色収差補正素子が前記対物レンズの表面に一体形成されているのが好ましい。
【手続補正１４】
【補正対象書類名】明細書
【補正対象項目名】００４２
【補正方法】変更
【補正の内容】
【００４２】
前記本発明の光ヘッド装置の第１、第２又は第３の構成においては、光分布補正を行わない場合と比較して、前記半導体レーザ光源から前記集光光学系へと至る開口数が大きく設定されているのが好ましい。
【手続補正１５】
【補正対象書類名】明細書
【補正対象項目名】００４３
【補正方法】削除
【補正の内容】
【手続補正１６】
【補正対象書類名】明細書
【補正対象項目名】００４４
【補正方法】削除
【補正の内容】